(57)【要約】略水平表面を保護する方法は、電荷を保持する液体不浸透性フィルムを供給するステップと、該フィルムを所望のサイズにトリミングするステップと、を含む。トリミングされたフィルムは、フィルムに担持された電荷によって保持されるように、略水平表面に適用され、物品が該フィルム上に配置される。
2005502505.tif 000002
【特許請求の範囲】
【請求項１】
電荷を保持する液体不浸透性フィルムを供給するステップと、
前記フィルムを所望のサイズにトリミングするステップと、
トリミングされたフィルムが該フィルムにより担持される電荷によって保持されるように、前記トリミングされたフィルムを略水平表面に適用するステップと、
トリミングされたフィルム上に物品が配置されるステップと、
を含む、略水平表面の保護方法。
【請求項２】
前記フィルムの少なくとも１つの表面がマーカによるマーキングに適合される、請求項１に記載の方法。
【請求項３】
前記少なくとも１つの表面をマーキングするために、乾式消去マーカ又は永久マーカを使用するステップをさらに含む、請求項２に記載の方法。
【請求項４】
前記フィルムがロール形状で供給される、請求項１に記載の方法。
【請求項５】
前記フィルムが穴あけされている、請求項１に記載の方法。
【請求項６】
前記トリミングステップが、フィルムを切断するために切断装置を使用するステップを含む、請求項１に記載の方法。
【請求項７】
前記フィルムがポリマーから作られる、請求項１に記載の方法。
【請求項８】
前記ポリマーがポリプロピレンである、請求項７に記載の方法。
【請求項９】
前記ポリマーが、オレフィン、ナイロン、ポリエチレン・テレフタレート、及びテフロン（登録商標）から成る群から選択される、請求項７に記載の方法。
【請求項１０】
前記表面が裁断板を含む、請求項１に記載の方法。
【請求項１１】
前記表面が棚を含む、請求項１に記載の方法。
【請求項１２】
前記表面が引き出しを含む、請求項１に記載の方法。
【請求項１３】
前記表面がテーブルを含む、請求項１に記載の方法。
【請求項１４】
前記表面が調理台を含む、請求項１に記載の方法。
【請求項１５】
前記表面がトレイを含む、請求項１に記載の方法。
【請求項１６】
前記フィルムが、その向き合った表面間におけるバクテリアの転移を防止する、請求項１に記載の方法。
【請求項１７】
前記フィルムは、揮発性物質を該フィルムに塗布するように処理される、請求項１に記載の方法。
【請求項１８】
前記フィルムは、殺虫剤が塗布されている、請求項１７に記載の方法。
【請求項１９】
前記フィルムは、芳香剤が塗布されている、請求項１７に記載の方法。
【請求項２０】
前記フィルムは、有機体又は生物に対し有毒な物質が塗布されている、請求項１に記載の方法。
【請求項２１】
前記物質が抗菌成分を含む、請求項２０に記載の方法。
【請求項２２】
前記物質が殺菌剤を含む、請求項２０に記載の方法。
【請求項２３】
前記フィルムは、動物忌避剤又は昆虫忌避剤が塗布されている、請求項１に記載の方法。
【請求項２４】
前記フィルムは、誘引物質が塗布されている、請求項１に記載の方法。
【請求項２５】
前記フィルムは、１つ以上の有機体の成長又は増殖を助長する物質が塗布されている、請求項１に記載の方法。
【請求項２６】
前記供給ステップは、前記フィルムに電荷を印加するように該フィルムを静電的に帯電するステップを含む、請求項１に記載の方法。
【請求項２７】
一対の対向した表面を有する多量の高分子フィルムを提供するステップであって、該フィルムが液体不浸透性で、帯電しており、前記表面の少なくとも１つがマーキング装置によるマーキングに適合されている、フィルム提供ステップと、
フィルム部分を得るように前記多量のフィルムを切断するステップと、
フィルム部分をマーキングするステップと、
前記フィルム部分を表面に適用するステップと、
前記フィルム部分に物品を配置するステップと、
を含む、方法。
【請求項２８】
前記マーキングステップが、前記切断ステップの前に実行される、請求項２７に記載の方法。
【請求項２９】
前記マーキングステップが、前記切断ステップの後で前記適用ステップの前に実行される、請求項２７に記載の方法。
【請求項３０】
前記マーキングステップが、前記適用ステップの後に実行される、請求項２７に記載の方法。
【請求項３１】
前記フィルムの前記少なくとも１つの表面が乾式消去マーカによるマーキングに適合され、前記マーキングステップが、前記少なくとも１つの表面をマーキングするために乾式消去マーカを使用するステップを含む、請求項２７に記載の方法。
【請求項３２】
前記フィルムがロール形状で供給される、請求項２７に記載の方法。
【請求項３３】
前記フィルムが穴あけされている、請求項２７に記載の方法。
【請求項３４】
前記切断ステップが、前記フィルムを切断するために切断装置を使用するステップを含む、請求項２７に記載の方法。
【請求項３５】
前記フィルムがポリマーから作られる、請求項２７に記載の方法。
【請求項３６】
前記ポリマーがポリプロピレンである、請求項３５に記載の方法。
【請求項３７】
前記ポリマーが、オレフィン、ナイロン、ポリエチレン・テレフタレート、及びテフロン（登録商標）から成る群から選択される、請求項３５に記載の方法。
【請求項３８】
前記表面が裁断板を含む、請求項２７に記載の方法。
【請求項３９】
前記表面が棚を含む、請求項２７に記載の方法。
【請求項４０】
前記表面が引き出しを含む、請求項２７に記載の方法。
【請求項４１】
前記表面がテーブルを含む、請求項２７に記載の方法。
【請求項４２】
前記表面が調理台を含む、請求項２７に記載の方法。
【請求項４３】
前記表面がトレイを含む、請求項２７に記載の方法。
【請求項４４】
前記フィルムが、その対向した表面間におけるバクテリアの転移を防止する、請求項２７に記載の方法。
【請求項４５】
前記フィルムは、揮発性物質を該フィルムに塗布するように処理される、請求項２７に記載の方法。
【請求項４６】
前記フィルムは、殺虫剤が塗布されている、請求項４５に記載の方法。
【請求項４７】
前記フィルムは、芳香剤が塗布されている、請求項４５に記載の方法。
【請求項４８】
前記フィルムは、有機体又は生物に対して有毒な物質が塗布されている、請求項２７に記載の方法。
【請求項４９】
前記物質が抗菌成分を含む、請求項４８に記載の方法。
【請求項５０】
前記物質が殺菌剤を含む、請求項４８に記載の方法。
【請求項５１】
前記フィルムは、動物忌避剤が塗布されている、請求項２７に記載の方法。
【請求項５２】
前記フィルムは、誘引物質が塗布されている、請求項２７に記載の方法。
【請求項５３】
前記フィルムは、１つ以上の有機体の成長又は増殖を助長する物質が塗布されている、請求項２７に記載の方法。
【請求項５４】
前記供給ステップが、電荷を前記フィルムに印加するように、静電的に該フィルムを帯電するステップを含む、請求項２７に記載の方法。
【発明の詳細な説明】
【技術分野】
【０００１】
本発明は概してフィルムに係り、詳細には、フィルム材料を用いて表面を保護する方法に関する。
【背景技術】
【０００２】
ウェブ又はシート材料は、表面、及び／又は、ウェブやシート上に配置され得る１つ以上の物品（アイテム）を保護するために使用されることが多い。例えば、棚、引き出し、及び物品のその他の表面に対し内側を被覆するために長年にわたって紙が使用されてきた。こうした紙は、普通紙（即ち、コーティングを施していないもの）であったり、コーティングされた紙であったり、さらに／あるいは、片面粘着紙である可能性がある。紙又は他の材料はまた、プレースマットや、テーブルカバーとしても使用されていた。
【０００３】
ウェブやシートの別の使用例として、床面上のドロップクロス（たれよけ布）、又は、車のトランクやトラックの荷台に付けるライナなどの、他のより大きな構造における保護被覆のようなものがある。耐久性が低い材料（例えば、紙）が仮の保護被覆として使用されることもあるが、こうした製品は一般に、その上での作業頻度、及び／あるいは他の形による乱用に耐えるように十分な耐久性がなければならない。
【０００４】
従来技術として、多量のパーチメント紙（硫酸紙）がロールから巻き戻され、ボード上に配置され、該ボードの表面を完全に被覆する、衛生的なこね板が示されている（例えば、特許文献１を参照）。同様の配置が、特許文献２及び特許文献３に示されているが、特許文献３においては、ろう紙がパーチメント紙の代わりに使用されている。
【０００５】
複数の積層されたプラスチックシートが板の上面に配置されている混合ボードが開示されている（例えば、特許文献４を参照）。プラスチックシートはそれぞれ、これらシートを一緒に結合する感圧接着剤を裏材として有する。ユーザは、上部シート上で化合物を混合し、その後、未使用の表面を次の使用に備えるように、該上部シートを剥離し、そのシートを廃棄することができる。
【０００６】
物品を表面に固定するために静電的に帯電したシートを使用する、多数の配列が開発されている。例えば、ドライフラワーや押し花などの物体をビニールシートとカバーフィルムの間に密封して密封装飾品を作成する、透明な静電ビニールシート及びカバーフィルムが開示されている（例えば、特許文献５を参照）。この密封装飾品は無孔表面に貼り付けられ、静電フィルムはその装飾品を該表面上の所定の位置に保持する。物体を取り付けるために静電シートを利用する、その他の配列も開示されている（例えば、特許文献６乃至９を参照）。
【０００７】
再使用可能なバナーシステムは、プラスチック材料のシートと、該プラスチック材料のシート上に配置されてメッセージを形成する複数の可撓性静電的付着ビニールインデックスと、を含んでいる（例えば、特許文献１０を参照）。このインデックスは、該インデックスによって伝達される静電荷によってプラスチック材料のシート上の所定位置に保持されている。代替実施例では、プラスチック材料のシートが静電荷を保持し、インデックスは無孔性プラスチックから形成される。
【０００８】
フリップチャートは、重なり合う関係で配置される少なくとも２枚のシートから構成される（例えば、特許文献１１を参照）。これらシートは帯電され、静電的付着により開放可能なように表面に固着できる。シートは、フェルトペンによってその上のマーキングを除去できるように適合され、ステープルによって裏板に保持される。各シートは、フリップチャートからシートの取り外しを可能にするために、ステープルから引き離すことができる。
【０００９】
書き込み装置は、乾式消去マーカによって消去可能なように書き込みできる可撓性エレクトレットフィルムを含む（例えば、特許文献１２を参照）。この装置は、レセプタクルに配置される一巻きのエレクトレットフィルム、このレセプタクルを壁体又はフリップチャート・スタンドに取り付けるためのブラケットと、フィルムを個々のシートに切り離すためのカッターと、を含む。
【００１０】
予め印刷された画像を有すると共に、フィルムを表面に固着するために静電的に帯電した、熱可塑性フィルム材料が開示されている（例えば、特許文献１３を参照）。この材料は、切り離しができるように穿孔を備えた、シート形状又はロール形状で包装することができる。
【特許文献１】
米国特許第１，１５１，８９５号（Mix）
【特許文献２】
米国特許第１，９５２，３７５号（Johnson）
【特許文献３】
米国特許第２，３６９，８９８号（Hoel）
【特許文献４】
米国特許第５，１９３，７９３号（Pollock）
【特許文献５】
米国特許第５，９７０，６３８号（Henley）
【特許文献６】
米国特許第５，８２６，８５１号（Arbisi）
【特許文献７】
米国特許第４，７４１，１１９号（Baryla）
【特許文献８】
米国特許第５，１０２，１７１号（Saetre）
【特許文献９】
米国特許第４，９９２，１２１号（Rubino）
【特許文献１０】
米国特許第５，８９９，０１０号（Peck）
【特許文献１１】
米国特許第５，０１０，６７１号（Stonehouse）
【特許文献１２】
米国特許第５，２０７，５８１号（Boyd）
【特許文献１３】
米国特許第５，２５８，２１４号（Cooledge他）
【発明の開示】
【課題を解決するための手段】
【００１１】
本発明の一態様によると、略水平表面を保護する方法は、電荷を保持する液体不浸透性フィルムを供給するステップと、該フィルムを所望のサイズにトリミングするステップと、を含む。トリミングされたフィルムは、該フィルムにより担持される電荷によって保持されるように略水平表面に適用され、トリミングされたフィルム上に物品が配置される。
【００１２】
本発明の更なる態様によると、方法は、一対の向き合った表面を有する多量の高分子フィルムを提供するステップを有し、ここで、該フィルムは液体不浸透性で、帯電しており、上記表面の少なくとも１つはマーキング装置によるマーキングに適合され、前記方法はさらに、フィルム部分を得るように多量のフィルムを切断するステップを有する。該フィルム部分はマーキングされ、表面に適用され、物品はフィルム部分上に配置される。
【００１３】
本発明のその他の態様及び利点は、以下の詳細な説明を考慮して明らかになるだろう。
【発明を実施するための最良の形態】
【００１４】
図１を参照すると、本発明によるフィルム材料１０が示されている。好ましい実施の形態によると、フィルム材料１０は、容易に電荷を受容し保持することができる、ポリマー又はその他の材料から構成される。さらに好ましくは、この材料は、一度使用され、再使用又は廃棄ができるように、安価である。さらにまた、フィルム材料１０は、ナイフや他の器具による接触に耐えるように十分に耐久性があり、曲げられた場合にクラッキングに耐えるように十分な弾力性を有する。なおまた、本発明の実施の形態において、この材料は、液体が浸透しないプラスチックフィルムから構成され、食品と接触するために、ＦＤＡによって承認されていることが好ましい。
【００１５】
フィルム材料１０の厚さは、最大で約８ミルを含む範囲内であり、約０．５乃至約５ミルの範囲が好ましく、約１乃至約４ミルの範囲がより好ましく、さらに、約１．５乃至約３ミルの範囲が最も好ましい。さらに、フィルム材料は、近似距離が１／２インチから１インチで、少なくとも約１５，０００ボルトの正又は負の電界の印加により帯電されることが好ましく、実質的に３／４インチの距離で、少なくとも約２０，０００ボルトが印加されることがより好ましく、さらに、少なくとも約３０，０００ボルトが印加されることが最も好ましい。必要に応じて、材料１０は、一方の側面が正の電界にあてられ、他方の側面が負の電界にあてられ、印加された電界の大きさは上記した通りである。代替実施例において、フィルム材料１０はその反対側面が同一極性の電界にあてられている（即ち、材料１０の第１の側面が、第１の正の電界にあてられ、材料１０の第２の側面が、第２の正の電界にあてられ、あるいはまた、材料１０の第１及び第２の各側面は、第１及び第２の負の電界にそれぞれあてられている）。さらに、材料１０は、材料を帯電した後の特定の時間に、例えば、３ヶ月以上の後に少なくとも約１５００ボルトに略等しい電圧で電界を発生させるのに十分な電荷を保持することが好ましい。更に好ましくは、この材料は、少なくとも、フィルム材料１０に電荷を最初に印加する時と消費者が使用する予想される最長時間との間の期間にわたり、電界を発生させるのに十分な電荷を保持するには、少なくとも約２５００ボルトの電圧がより好ましく、少なくとも約３５００ボルトの電圧が最も好ましい。
【００１６】
図１のフィルム材料１０は、カッティングボード（裁断板）として示される支持面１２の上部に配置され、１つ以上の物品１４がフィルム材料１０の上面１５に配置され、加工される。図１Ａに示されるように、必要に応じて、フィルム材料は、その代わりとして、調理台、テーブル、トレイなどの異なった構造１３の上に配置することもできる。図１をさらに参照し、一実施の形態によれば、物品１４は、ナイフ１６で切断されたり、さらに／あるいはフィルム材料１０上にあって（混合、混練、せん断などの際に）処理される食品を含んでいる。フィルム材料１０は、バクテリアを含む、食品１４から放出される汁やその他の物質を上面１５から支持面１２に転移することを防止する。フィルム材料１０はまた、物質やバクテリアを支持面１２からフィルム材料１０の上面１５に転移することを防止するので、食品１４の汚染が回避される。必要に応じて、フィルム材料１０は随意的に、少なくとも上面１５における細菌及び／又はバクテリアの活動を制限する、１つ以上の抗菌性及び／又は殺菌性の成分を含むことができる。
【００１７】
支持面は、フィルム材料１０に静電的引力を付与するような、好適な材料及び構成から成る。理想的には、支持面は、安全且つ効率的な処理を可能にするように、フィルム材料及び物品１４に対し十分な支持を提供する。食品１４の加工が完了すると、フィルムは支持面１２から除去され、好ましくは、食品の粒子やその中の汁を回収するような方法で、最初にフィルム材料１２を折り曲げ、さらに／あるいは丸めた後で、フィルムを再利用したり、又は廃棄することができる。さらに好ましくは、フィルム材料１０によって保持される電荷は、フィルム材料１０がその上の物品１４の加工中に大きく移動することが抑制されるような大きさであるが、必要に応じて、フィルム材料１０を支持面１２から容易に開放することが可能である。具体的には、フィルム材料１０は、せん断力に対しては中程度から高い抵抗を示すが、剥離力に対しては比較的低い抵抗を示すことが好ましい。さらに、せん断力に対する抵抗は、表面に配置されると、フィルム材料１０の位置を横方向に調整することを防止するように大きくないことが好ましい。このように、材料１０を表面上に配置することができ、その位置が調整され、その後、材料１０は、該材料１０によって担持される電荷によって所定位置に保持される。この結果、材料１０は、材料１０が横方向に大きく移動させることなく、書き込みされたり、物品を材料１０上で加工したり、さらに／あるいは移動させることができるが、この材料は、必要に応じて、容易に再配置されたり、下側表面から剥離することができる。
【００１８】
フィルム材料は、オレフィン（例えば、ポリプロピレン又はポリエチレン）、ナイロン、ポリエチレン・テレフタレート（ＰＥＴ）、テフロン（登録商標）などのフィルムに形成される好適なポリマー材料や、フィルムに形成することができるその他の族の化学物質による、単層構造あるいは多層構造から構成され、さらに／あるいは、無配向性材料、配向材料、若しくは二軸配向材料を含むこともある。フィルムはまた、同時押出し成形されたり、ラミネート状にされたり、あるいは、一緒に結合されている、異なる層におけるこうした材料の組み合わせから構成することもできる。
【００１９】
本発明の好ましい実施の形態において、フィルム材料１０はウェブ状に押出し成形され、１つ以上の大きなマスターロールに巻き付けられる。フィルム材料１０はその後、マスターロールから巻き戻され、市販されている帯電機を通過され、その直後に個々のユーザ・ロールに形成される。各ロールはエンドユーザに供給され、該ユーザは、その材料を所望のサイズ及び／又は形状に切断あるいはトリミングすることが好ましい。図２に示されるように、フィルム材料１０のロール２０は箱２２又はその他の容器で供給され、切断バー２４は、ユーザが材料１０を所望の大きさのシートにトリミングできるように、箱２２上に取り付けられる。あるいはまた、材料１０は、箱やその他の容器におけるプレカット・シートとしてエンドユーザに供給されることもある。さらにまた、ユーザが容易に材料１０をシート状に切り離すことができるように、材料１０を穴あきすることもできる。
【００２０】
図９は上記の方法をより詳細に示し、大きなマスターロール２１に供給されているフィルム材料１０を従動ベッドローラ２３によって上記ロールから巻き戻し、帯電機２６に隣接して配置される更なるローラ２５上を通過させる。好ましくは、帯電機２６は、望ましくは正電荷をフィルム材料１０に供給する、米国ペンシルベニア州のシムコ・オブ・ハットフィールド（Simco of Hatfield）から販売されているテトラ帯電バーから構成される。更に好ましくは、高速又は低速の移動速度を二者択一的に使用する可能性があるが、フィルム材料は、１分間につき約８００フィートの線速度で帯電機２６を通過走行する。帯電したフィルム材料１０はその後、更なるローラ２７ａ、２７ｂ及び２７ｃ上を通過し、回転可能なターレット２８によって装着される個々のロールに巻き付けられる。好ましくは、これらローラ２５、２７ａ及び２７ｃは、ブラシ又はその他の装置によって機枠に固定され、ローラ２７ａ乃至２７ｃはテフロン（登録商標）コーティングによって絶縁される。さらに、ローラ２５は、工業用非導電性ハードコーティングによって被覆されるのが好ましい。
【００２１】
上記の製造技術は結果として、押出し成形されたフィルムが大きなマスターロールに巻き付けられる技術と比較して、製造作業者による取り扱いが少なくなり、マスターロールはその後、まとめて静電的に帯電され、帯電したフィルムはマスターロールから巻き戻されて、個々のロールに巻き付けられたり、あるいは個々のシートに形成される。こうした処理の軽減は結果として、電荷の保持が良くなり、フィルム品質が向上する。さらに、上記の方法はオゾンの生成量を許容範囲内に制限する結果となる。
【００２２】
必要に応じて、フィルム材料１０は、半溶融状態にある間に帯電され得るので、フィルム構造に内部電荷を有するエレクトレットを構成することになる。具体的には、本発明のこの態様は、溶融した熱可塑性材料をウェブに形成するステップと、該ウェブをその凝固温度と実質的に同じ温度若しくはそれより高い温度にある間にウェブを静電的に帯電するステップと、帯電後にウェブを上記凝固温度より低くなるように冷却するステップと、この冷却ステップの直後にウェブを個々のロールに巻き付けるステップと、を含む。ウェブは、単層構造あるいは多層構造のいずれであってもよく、多層構造は、同時押出し成形方法によって実現することができる。望ましくは、この方法は、熱可塑性ウェブを押出し成形する、押出しダイの下流に設置される、上述した帯電機２６と同様の、あるいはそれと同一の帯電機の使用を含む。帯電後、半溶融材料は、周囲条件にさらすか、あるいは、冷却ロールによる積極的な冷却のいずれかによって冷却可能とされる。ウェブの一方の外側面若しくは両外側面は、マーキング装置によるマーキングを可能にするようにコロラ処理することもできる。その後、冷却されたウェブは直ちに個々のユーザロールに巻き付けられ、包装されるのが望ましい。
【００２３】
帯電中に、材料１０は、望ましくはフィルム温度が材料１０のガラス転移温度ＴGよりもわずかに高い場合に正又は負の電界に当てられる。さらに好ましくは、半溶融材料は、近似距離が１／２インチ乃至１インチで少なくとも約１５，０００乃至１７，０００ボルトの電圧が印加され、実質的に３／４インチの距離で、少なくとも約２０，０００ボルトの電圧が印加されることがより好ましく、少なくとも約３０，０００ボルトの電圧が印加されることが最も好ましい。必要に応じて、材料１０は、その一方の面に正の電界が印加され、他方の面に負の電界が印加され、これら印加された電界の大きさは上記した通りである。別の実施の形態において、フィルム材料１０のそれぞれ反対側にある両面は同じ極性の電界が加えられ、即ち、材料１０の第１の面は第１の正の電界が加えられ、材料１０の第２の面は第２の正の電界が加えられ、あるいは、材料１０の第１及び第２の各面は、第１及び第２の負の電界がそれぞれ加えられている。
【００２４】
材料１０に表面電荷を生成する、上述した静電的帯電に相反して、この方法は、時間をかけて且つ周囲条件にさらされて電荷をより安定して保持するという結果になる。さらに必要に応じて、内部及び表面電荷の結合を含む製品を得るように、フィルムはまず、部分的に溶融されると帯電され、その後、上記したように個々のロールに巻き付ける少し前に材料１０の凝固後に帯電機内を通過させることもできる。
【００２５】
フィルムが部分的に溶融された時に帯電されるか、あるいは、凝固の前後に帯電されるかについては関係なく、結果として生じるフィルムは、上記に特定された電荷保持特性を少なくとも有することが好ましい。即ち、結果として生じるフィルム材料１０は、材料の帯電後の特定時間、例えば、３ヶ月以上の後に、少なくとも約１５００ボルトと実質的に同じ電圧で電界を生成するのに十分な電荷を保持することが好ましい。更に好ましくは、材料１０は、少なくとも、電荷をフィルム材料１０に最初に印加した時と、消費者が使用する予想される最長時間との間の期間にわたり、少なくとも約２５００ボルト、最も好ましくは、少なくとも約３５００ボルトの電圧で電界を生成するのに十分な電荷を保持する。
【００２６】
フィルム材料１０は、無色であっても、又は着色されていてもよく、必要に応じて、透明であったり、半透明や不透明であってもよい。図４を参照すると、一実施の形態によれば、材料１０は、多層同時押出し構造あるいは多層積層構造から構成され、該構造は、エクソン・モービル・コーポレーション（Exxon Mobil Corp.）製のＯＰＰＡＬＹＴＥ（登録商標）のもとで販売されているポリプロピレンから成る空洞化した中心層３０と、白色色素沈着及び上下それぞれの外側層３６、３８を得るように二酸化チタンの添加によって変性されるポリプロピレンから成る第１及び第２の中間層３２、３４と、を含む。この実施の形態では、上部外側層３６は、永久的マーキング装置でマーキングを可能にするために、あるいは、乾式消去マーカーで除去できるマーキングを可能にするために、コロナ処理されているポリプロピレンであることが好ましい。また、下部外側層３８は、フィルム材料１０のコールドシールを容易にする既知の材料をどれか添加することによって変性されたポリプロピレンであることが好ましい。必要に応じて、下部外側層３８は、上記したように永久的なマーキングあるいは除去できるマーキングを可能にするようにコロナ処理することもできる。更に、結果として生じるフィルムは、基板などの別の構造に積層することもできる。このように、図３に示すように、材料は所望のサイズに切断され、表面上に取り付けられ、携帯用の乾式消去ボードとして使用することができる。材料のマーキングは、例えば、切断前や、切断後、また、取り付けてあるか否かに関わらず、いつでも行なうことができる。
【００２７】
さらにまた、材料１０はその１つ以上の面に印刷することもできる。さらに、フィルム材料１０は、切断バーを必要とせずにシートを引き離し可能にするように、１つ以上の位置３９（図４）にそれぞれ穴あけすることもできる。
【００２８】
更なる実施の形態によると、フィルム材料１０は、外側層３６及び３８が省略されている以外、図４に示される実施の形態と同一である。さらに、これら３つの層は同時押出し成形されたり、又は積層され、各層は、エクソン・モービル・コーポレーション製造の１８７，１５５ＬＬＧ１０２ＢＯＰＰから構成され、これらの層は、クリアな製品を得るように、色素で変性されていたり、空洞化されたりすることはない。
【００２９】
必要に応じて、材料１０は帯電しなくてもよい。
【産業上の利用可能性】
【００３０】
本発明は、上記したように使用できる材料を提供する概念に限定されない。例えば、材料１０は、１つ以上の棚５０若しくは引き出し５２（図５及び図６）の内側を被覆するために使用され、物品は、その上に配置され、さらに／または加工される。さらに、材料１０は、（例えば、観葉植物や額縁などのように）１つ以上の物品が配置され、さらに／若しくは加工されるように、他の家具や製品の表面や、その他支持面を被覆し、さらに／若しくは保護するために使用することもできる。食品以外の物品、例えば、工芸品で使用される物品は、加工用の材料１０上で支持される。あるいはまた、この材料は、ドロップクロス及び／又はプレースマットとして使用したり、支持面の保護が必要とされる、冷蔵庫や電子レンジなどの別の用途において使用することもできる。さらにまた、材料１０は、ボールやカップ、若しくは他の容器の蓋として使用することもできたり、電子レンジや冷蔵庫における１つ以上の表面に対するはねよけ（スプラッシュガード）としての働きをするように使用することができたり、あるいは、塗布しない状態にあるべき領域に塗料が塗布されないようにマスキングテープのように使用することもできる。別の使用法では、フィルム材料１０と、窓枠や他の物体との間に、物体をはさむことによって、物品を窓枠や他の物体上の所定位置に保持することである。材料１０が置かれている表面は、連続的であったり、又は非連続的であってもよい（後者の例として、タイル床がある）。さらに、その表面は硬質若しくは軟質であってもよいが、同質構造であったり、同質の物理的特性を示したりする必要はない。
【００３１】
更なる代替方法として、フィルム材料１０は、１つ以上の開口部やアパーチャを貫通形成して含むこともでき、さらに／あるいは、この材料１０は、必要に応じて、着色領域や非着色領域を含んだり、帯電領域や非帯電領域を含むこともできる。このように、例えば、長方形のフィルム材料１０は、静電的に帯電されると共に、除去できる若しくは永久的なマーキングを受け取るようにコロナ処理される、フレームから成る外側部と、透明な若しくは開口部を貫通形成した中心部と、を含む。（もしあれば）中心部の材料は静電的に帯電されたり、されなかったりする。結果として得られる製品は、写真、図面、絵、挨拶状や、他の物品が、中心部を通して、あるいは該中心部で目に見えるように、こうした写真や図面などを窓枠や他の基板に（垂直又は非垂直に）保持するのに特に好適である。フィルム材料１０が物体を垂直面に保持すべきであったり、シートの一部若しくはシート全面（中心部を含む）が帯電されている用途において、フィルム材料１０は、フィルム材料１０の重量と少なくとも同じ別個の物体の重量を材料が保持できるのに十分な電荷を担持することが好ましい（が、必ずしもそうであるとは限らない）。代替実施例において、電荷は、材料が、フィルム材料の重量よりも大きな個別の物体の重量、例えば、フィルム材料の重量と少なくとも同じから３倍の重量を十分に保持できる。
【００３２】
更に別の代替方法によると、フィルム材料１０のシートは、静電荷などの電荷を保持する外側余白を含むことがある。このシートは、外側余白の各部分が互いに接触して配置されるように折り曲げられ、これによって、物品を封入するポケットを形成する。必要に応じて、シート全体が電荷を伝達したり、上記余白以外のシートの各部分が電荷を保持することもある。１つ以上の表面は、乾式消去マーカなどのマーキング装置によってかかる表面の永久的な若しくは除去できるマーキングを可能にするように、上記したように随意的に処理することもできる。既述した実施の形態におけるように、フィルム材料は、材料の表面間におけるバクテリアや流体の転移を防止する。
【００３３】
本発明の更にまた別の実施の形態は、既述した実施の形態に関連して上述したようにフィルム材料の帯電シートを含み、フィルム材料１０は、所望の特徴を有する所望の物質を適用するような方法で処理され、さらに／あるいは修正される。例えば、乾式消去マーカによってマーク付けできるように処理される表面を有する、静電的に帯電した多量のフィルムは、殺虫剤、殺菌剤、抗菌剤、芳香剤などの揮発性物質で塗布される１つ以上の部分を更に有することがある。このフィルムは、液体を浸透させず、所望のサイズにトリミングされ、該フィルムが表面に引き付けられ且つ保持されるように、表面（棚、テーブル、引き出しなどの上面、下面、側面など）に接触配置できる。こうした物質はその後、周囲環境に放出するように揮発する。随意的に、揮発性物質の悪影響を受けないという条件で、物品をフィルム上で加工することができる。
【００３４】
必要に応じて、この物質は、オイルなどの実質的に非揮発性液体であったり、あるいは、印刷用紙、布、プラスチックなどの固体材料や物品であってもよい。この場合、物質は除去できないようにフィルム材料１０に固着されたり、あるいは、該フィルム材料から除去できるようにしてもよい。後者の場合、フィルム材料１０は、フィルム材料１０が表面に付与され、その後、物質が表面に転移され、好適な機構によって該表面に保持されるまで、物質を保持する転送キャリアとして機能し得る。このような機構は、フィルム材料１０によって基板に転送される電荷から結果として生じる静電気引力を含むことがある。他の機構として、物質の１つ以上の表面を粘着性の状態にすることに起因する密着性を構成する。いずれにしても、フィルム材料１０は表面から剥離され、物質の少なくとも一部を表面上に残すことになる。
【００３５】
あるいはまた、揮発性材料や他の物質、若しくは物品を、フィルムによって保持されたり、フィルムに固着されている構造の内部で、あるいは、該構造を用いて保持することもできる。例えば、図７及び図８に示すように、第１のフィルムの層６０は、ポケット６４を作成するために、上記したように電荷を保持する第２のフィルムの層６２上に配置され且つ固着される。層６０及び６２は上述の材料のどれか、若しくはその他の材料から構成することができ、層６０は、ヒートシール、接着、同時押出し成形などの既知の方法で層６２に固着することができる。芳香剤や殺虫剤、あるいは本明細書中に記載されているその他の物質などの所望の物質が含浸されているパッド６６は、ポケット６４内に配置され得る。このパッド６６は、好適な手段により互いに固着されている、２層の気体浸透性材料によって形成されるエンベロープに配置されているゲルから構成されている。層６０、６２の１つ又は両方が気体浸透性であってもよく、さらに／あるいは、１つ以上の開口部若しくはアパーチャ６８を、周囲環境とポケット６４との間の気体の連通を可能にするように、第１のフィルム及び／若しくは第２のフィルムに設けることもできる。穴部６８は最初、１つ以上の取り外し可能な接着ストリップ（帯状片）７０（図７にのみ図示）や他の部材によって被覆されている。結果として得られる製品は、（物体の上面、側面、若しくは下面を含む）所望の位置にある所望の物体上に配置することができ、フィルムによって保持される電荷によってその上に保持される。接着ストリップ７０は、こうした物質を周囲環境にさらすために取り外すこともできる。物質が揮発性である場合、その後、気体形状で蒸発し周囲に放散することになる。必要に応じて、パッド６６は、繊維状パッドや、所望の物質を含んでいたり、若しくは所望の物質が含浸されている他の材料などの、異なるキャリアと置き換えることもできる。
【００３６】
さらに別の代替例として、パウチ（小袋）は、（上記の材料の１つ又はその他の材料である）材料から形成され、材料を折り重ねるか、若しくは、同じ材料又は異なる材料の二片以上を共に固着させて１つ以上のポケットを形成し、さらに、好適な手段（例えば、ヒートシール、接着剤、同時押出し成形、同時積層など）によりパウチを上記のように電荷を保持するフィルムの一部に固定させることによって、パウチを形成する設計がある。上記のように物質を含浸させたパッドを含む１つ以上の物体は、ポケット内に配置されることができる。パウチの材料は、気体が含浸されていたり、さらに／あるいは、延出する１つ以上の開口部を含んでいてもよい。取り外しできる部材によって被覆されている１つ以上の穴部を、前述の実施の形態にあるように設けることもできる。結果として得られる製品は、含浸させた物質を周囲環境にさらすために、前述の実施の形態に記載されたように配置し使用することもできる。
【００３７】
上記実施の形態のいずれにおいても、所望の物質は、１つ以上の望ましくない有機体や生物などに対する忌避物質及び／又は有毒物質である可能性がある。このように、所望の物質は、抗菌成分、殺虫剤、殺菌剤、除草剤、動物忌避剤などを含むことがある。あるいはまた、所望の物質は、（上記のような芳香剤などの）誘引物質や、１つ以上の有機体の成長や増殖を助長する物質であってもよい。この点について特に関係があるものは、香りやその他の空調制御活性成分と、昆虫防除成分であり、これには、殺虫剤、忌避剤、及びその他の昆虫行動調節成分及び／若しくは昆虫発生調節成分が含まれる。こうした物質はいずれも、上記の方法の他にフィルム材料１０に直接印刷される成分として、物質が含浸され、材料１０に積層されたり若しくは結合されている織物状／非織物状布などその他の材料として、好適な手段によってフィルム材料１０に付加することができる。したがって、これら物質は、残留物を散らかしたり、粘着性を付与することなく分配することができる。このような物質を放出する装置の一例は、トランスフルスリンやその他の殺虫剤や活性剤が添加された、重さ１００ｍｇの１０インチ×１０インチサイズで厚さ２ミルのポリプロピレンフィルムである。その他の殺虫剤成分も、このようにして代用することができる。結果として得られる材料は、シート形状又はロール形状で供給することができるが、後者の場合、材料は、上記したように、切断バーやその他の道具によって所望のサイズに切り離したり、切断したりすることができる。この材料は、あるいはまた、上記したように、個々のシートに容易に分離できるように、穴あけすることもできる。材料は、ほぼ水平な下面や、トレイ、テーブル、調理台、引き出し、棚、実質的に垂直な面など、物体のその他の面に配置され、その後、揮発性物質が揮発して、活性成分を周囲環境に放出する。
【００３８】
必要に応じて、上記実施の形態はいずれも、周囲環境への物質の放出を開始するか又は促進するように、フィルム材料１０を加熱するヒータとともに用いられるように適合することができる。物質の放出を開始／促進するために、ファンを代用したり、若しくは、ファンを追加させて使用することもできる。
【００３９】
更に別の実施の形態は、帯電したフィルム材料１０に固着される２つ以上の仕切りやポケットを含む構造を包含している。例えば、図１０及び図１１に示すように、複数仕切り構造８０は、破断可能な中間壁８６によって分離される少なくとも第１及び第２の仕切り又はポケット８２、８４を含む。仕切り８２、８４は、フィルム材料１０の一部から構成されるベース層と、好適な手段によって該ベース層に固着されているカバー層８８との間で捕捉されている。２つ以上の仕切りを有する構造の場合、仕切りはそれぞれ、１つ以上の破断可能な壁によって隣接する仕切りから分離されている。化学成分は仕切りごとに配置され、破断可能な壁は、化学物質を混合し、それによって所望の化学反応を起こすために、物理的操作によって選択的に破断することができる。この構造は、フィルム材料１０によって担持される電荷によっていずれかの表面に保持される。このように、例えば、冷却パックは複数仕切り構造によって付与できるが、ここで、冷却パックの各成分は使用の前は破断可能な壁により分離されている。化学物質が混合され、冷却処理が開始され、その後、冷却パックが人体の患部に適用されるように、冷却パックを使用すべき時に、ユーザはこうした壁を破断することができる。冷却パックは、フィルム材料１０によって担持される電荷によって患部に有利に保持される。その他の同様の構造を想定することもでき、これらによって、熱、光、煙、その他の副生成物を生成するように化学物質が選択的に混合され、上記仕切り構造がフィルム材料１０によって担持される電荷により、表面上に保持される。
【００４０】
上記実施の形態の１つにおけるいずれの特徴も、上記のその他１つ以上の実施の形態の１つ以上の特徴と組み合わせることができる。したがって、例えば、上記の電荷保持特性を有する、上述したようなポリマー材料の帯電シートは、殺虫剤や芳香剤などの揮発性物質を塗布したり、あるいは含浸させることができ、必要に応じて、シートの片面若しくは両面は、乾式消去マーカなどのマーキング装置によってこうした表面に対し永久的な若しくは除去できるようなマーキングを可能にするように処理することができる。この材料はシート形状あるいはロール形状で供給することができ、後者の場合、材料は、上記のように切断バーや、その他の道具によって所望のサイズに引き離したり、又は切断することができる。この材料はあるいはまた、上記のように個々のシートに容易に分離できるように、穴あけすることもできる。
【００４１】
本発明に対する多くの変更は、上記説明を考慮して当業者には理解されるだろう。したがって、この説明は、一例にすぎないものとして解釈されるべきであり、当業者が本発明を構成し使用することを可能にすると共に、本発明を実施する最良の形態を教示するために、提示されている。添付された特許請求の範囲内にあるすべての変更に対する占有権は保留される。
【図面の簡単な説明】
【００４２】
【図１】本発明によるフィルム材料が上部に配置されている、カッティングボード（裁断板）の等角投影図である。
【図１Ａ】本発明によるフィルム材料が上部に配置されている、支持面の等角投影図である。
【図２】本発明による一巻きのフィルム材料と結合された容器の等角投影図である。
【図３】乾式消去マーカで作成されたマーキングを含む、本発明によるフィルムの平面図である。
【図４】本発明による多層ポリマーフィルムの等角投影図である。
【図５】本発明によるフィルム材料で内側が被覆されている棚の等角投影図である。
【図６】本発明によるフィルム材料で内側が被覆されている引き出しの等角投影図である。
【図７】物質を含浸させた、パッド又は他の部材を含む、パウチ（小袋）を備えたフィルムの等角投影図である。
【図８】図７の線８−８に沿った断面図である。
【図９】フィルム材料を帯電させ、個々のロールに巻き付けるための装置の概略平面図である。
【図１０】複数仕切り構造が保持されている、フィルム材料の等角投影図である。
【図１１】図１０の線１１−１１に沿った断面図である。
【国際公開パンフレット】
2005502505.tif 000003
2005502505.tif 000004
2005502505.tif 000005
2005502505.tif 000006
2005502505.tif 000007
2005502505.tif 000008
2005502505.tif 000009
2005502505.tif 000010
2005502505.tif 000011
2005502505.tif 000012
2005502505.tif 000013
2005502505.tif 000014
2005502505.tif 000015
2005502505.tif 000016
2005502505.tif 000017
2005502505.tif 000018
2005502505.tif 000019
2005502505.tif 000020
2005502505.tif 000021
2005502505.tif 000022
2005502505.tif 000023
2005502505.tif 000024
2005502505.tif 000025
2005502505.tif 000026
2005502505.tif 000027
2005502505.tif 000028
2005502505.tif 000029
2005502505.tif 000030
【国際調査報告】
2005502505.tif 000031
2005502505.tif 000032
2005502505.tif 000033